(57)【特許請求の範囲】
【請求項１】
着座者としての人の閾下動作を生じさせるための事務用、作業用、及びレジャー用椅子であって、関節運動自在のローラー（４）付き十字形基部（１）、座部パネル（２１）及びその上に載っているそれの座部パッド（１９）のための境界板（５）と一体の少なくとも１つの空気圧式ばね作用支柱（２）、並びに背もたれ部（２２）、に特徴付けられる事務用、作業用、及びレジャー用椅子において、前記座部パネル（２１）が揺動能力を備えて空気圧式揺動クッション上に取り付けられており、当該空気圧式揺動クッションは、接続ホース（２７）によって互いへ接続されている複数の変形可能な空気室（１８、３５）を備えていて、弾性的に変形可能な中空体（１４）上に横たわっており、当該中空体は、前記人が前記椅子に腰を下ろすたびに前記空気室（１８、３５）に空気を入れるためのポンプの役目を果たし、前記人が前記椅子から立ち上がるたびに自身の弾性的展開に因り再び空気で充満し、何らかの漏出損を補償するために一方向弁を有するポンプホース（１２）が前記中空体（１４）から前記空気室（１８、３５）のうちの少なくとも１つへ通じており、前記空気室（１８、３５）の間の接続ホース（２７）が、前記座部パネル（２１）の当該揺動距離並びに当該揺動動作の緩衝が可変になるように機械式、油圧式、空気圧式、又は電気式に計量式に開閉させることのできる弁（３１；７５；８９）を具備している、ということを特徴とする事務用、作業用、及びレジャー用椅子。
【請求項２】
請求項１に記載の事務用、作業用、及びレジャー用椅子において、前記座部パネル（２１）は、それが揺動クッションの複数の変形可能な空気室（１８、３５）に載っており、当該空気室が、接続ホース（２７）によって互いへ接続されていて、仕切り壁（１７）によって形成されるホース環体（１６）の区画（１８）の形態に実現されているか又は複数の個別クッション（３５）によって実現されていて、中空体（１４）の上方に突出する円錐状上部分（１５）に前記座部パネル（２１）の中心の周りに円を描くように載っている、ということから揺動能力を備えて支持されているものであり、前記空気室（１８、３５）の間の前記接続ホース（２７）は、前記座部パネル（２１）の当該揺動距離並びに当該揺動運動の緩衝が可変となるように、プッシュプルケーブルシステム又はボーデンケーブルによって計量式に開閉させることのできる弁（３１；７５；８９）を具備している、ということを特徴とする事務用、作業用、及びレジャー用椅子。
【請求項３】
請求項１または２に記載の事務用、作業用、及びレジャー用椅子において、前記空気室（１８、３５）の間の前記接続ホース（２７）は、１つ又はそれ以上の滑動式又はテンプレート型の弁（７５）へ、又は互いに対して回転可能である部分（８５−８８）を有する１つ又はそれ以上の旋回式の弁（８９）へ、接続されていて、前記旋回式の弁（８９）内の通路を、プッシュプルケーブルシステム又はボーデンケーブルの助けを借りて旋回させることによって計量式に異なる回転位置へ動かせるようにし、それにより前記通路を計量式に開ける又は閉じることができるようにしている、ということを特徴とする事務用、作業用、及びレジャー用椅子。
【請求項４】
請求項１から３の何れか一項に記載の事務用、作業用、及びレジャー用椅子において、前記空気室がドーナツ型のホース環体（１６）の内部の複数の仕切り壁（１７）によって区画（１８）の形態に実現されており、隣接する区画（１８）同士は前記ドーナツ型の中心に向かって弧状様式に張り出す接続ホース（２７）によって接続されている、又は個別クッション（２５）の形態をしている空気室又は揺動クッションの場合は、隣接する個別クッション（２５）同士は、弧状のホース区分を有する前記ドーナツ型の中心に向かって弧状様式に張り出す接続ホース（２７）によって接続されている、ということ、及び、前記ドーナツ型の前記中心には接続ホース（２７）の各弧につきピンチ弁（３１）が配列されていて、当該ピンチ弁（３１）を通ってこれらの弧状のホース区分が延びており、これらのピンチ弁（３１）は、上方に開口するチャネル（３４）を形成している案内リング（３２）と、その中で前記案内リング（３２）の中心周りに回転可能であって回転方向に前記中心から減少する半径を有する挟み付け面（３６）を備えているピンチリング（３３）と、の使用により構成されており、前記ピンチリング（３３）をプッシュプルケーブルシステム又はボーデンケーブルの助けを借りてばね力に逆らって回転させることによって、前記案内リング（３２）の前記チャネル（３４）の中へ張り出す前記ホース区分を前記案内リング（３２）の前記チャネル（３４）の外壁の内面と前記挟み付け面（３６）の間で計量式に挟み付けることができるようにし、それにより前記ホース区分を計量式に開閉できるようにしている、ということを特徴とする事務用、作業用、及びレジャー用椅子。
【請求項５】
請求項１から４の何れか一項に記載の事務用、作業用、及びレジャー用椅子において、前記空気室が、仕切り壁（１７）によって形成されるホース環体（１６）の区画（１８）の形態に実現されており、前記ホース環体（１６）の前記区画（１８）に発泡体（６７）が収容されていて、前記ホース環体（１６）の圧力損失時にこの空気室が一杯まで締め付けられ閉ざされてしまうのを防ぐためにスペーサーの役目を果たす、ということを特徴とする事務用、作業用、及びレジャー用椅子。
【請求項６】
請求項１から５の何れか一項に記載の事務用、作業用、及びレジャー用椅子において、前記事務用、作業用、及びレジャー用椅子を前記座部パッド（１９）のところで持ち上げ運ぶために、前記座部パネル（２１）及び前記座部パッド（１９）が、ワイヤケーブル（６６）によって前記中空体（１４）へ接続されている、ということを特徴とする事務用、作業用、及びレジャー用椅子。
【請求項７】
請求項１から６の何れか一項に記載の事務用、作業用、及びレジャー用椅子において、前記十字形基部（１）と前記境界板（５）の間の前記支柱（２）が空気圧式ばねを含んでおり、高さ調節はプッシュプルケーブルシステム又はばね荷重式ボーデンケーブルによって解放できるようになっていて、関連付けられる作動レバー（２６）は、前記座部パッド（１９）より上方の、肘掛け部（２４）又は肘掛け部支持体（２３）上に配列されているか又は前記座部パッド（１９）の下に配列されている、ということを特徴とする事務用、作業用、及びレジャー用椅子。
【請求項８】
請求項１から７の何れか一項に記載の事務用、作業用、及びレジャー用椅子において、前記中空体（１４）の底板（６１）は、前記境界板（５）上に、それが滑動レール又はローラー軌道に載っていることから前記事務用、作業用、及びレジャー用椅子に対して前方及び後方に変位できるような具合に支持されているものであり、前記底板（６１）の前方および後方の変位はプッシュプルケーブルシステム又はばね荷重式ボーデンケーブルによって解放できるようになっていて、関連付けられる作動レバー（２６）は、前記座部パッド（１９）より上方の、肘掛け部（２４）又は肘掛け部支持体（２３）上に配列されているか又は前記座部パッド（１９）の下に配列されている、ということを特徴とする事務用、作業用、及びレジャー用椅子。
【請求項９】
請求項１から８の何れか一項に記載の事務用、作業用、及びレジャー用椅子において、前記椅子が、ばね力に逆らって傾きを調節できる背もたれ部（２２）を備えており、前記傾きの調節はプッシュプルケーブルシステム又はばね荷重式ボーデンケーブルによって解放できるようになっていて、関連付けられる作動レバー（２６）は、前記座部パッド（１９）より上方の、肘掛け部（２４）又は肘掛け部支持体（２３）上に配列されているか又は前記座部パッド（１９）の下に配列されている、ということを特徴とする事務用、作業用、及びレジャー用椅子。
【請求項１０】
請求項１から９の何れか一項に記載の事務用、作業用、及びレジャー用椅子において、前記椅子が電子回路を有する電気パワー供給部を備えており、前記回路によって制御できる圧電弁又はソレノイド弁（Ｖ１）−（Ｖ８）が空気クッション（Ｃ１）−（Ｃ４）の形態に実現されている前記複数の揺動クッションの間の全ての接続ライン内に設置されていて、各空気クッション（Ｃ１）−（Ｃ４）は圧力センサを具備している、ということ、及び、前記座部パネル（２１）が、アプリケーションを有するスマートフォンを水平方向に挿入するための差し込みスロットを有しており、前記アプリケーションは、この事務用、作業用、及びレジャー用椅子と関連付けられていて、前記圧力センサのデータ及び前記座部パネル（２１）の傾き及び加速度をオンラインで取得する働きをするので、個別の揺動パターンを生成するために前記スマートフォン上の前記アプリケーションによってオンラインで揺動習慣を判定させ前記スマートフォンのデータメモリに記憶させることができ、これら又は他の固有の揺動パターンは、前記アプリケーションの助けを借りて前記圧電弁又はソレノイド弁（Ｖ１）−（Ｖ８）を制御することによってしかるべく実行させることができ、前記揺動パターンは、前記アプリケーションにより評価させることができ、前記スマートフォン上に表示でき、及び無線式に読み出せる、ということを特徴とする事務用、作業用、及びレジャー用椅子。
【請求項１１】
請求項１から請求項１０の何れか一項に記載の事務用、作業用、及びレジャー用椅子において、前記座部パネル（２１）が、積層体に類似に実現されていて下部軟質支持層（６４）と上部硬質支持層（２０）とを備えている二層又は多層座部パッド（１９）を具備しているということ、及び、前記座部パネル（２１）が、周辺の下方に延びるエプロン（６３）であって前記境界板（５）を越えて下方へ張り出していて前記座部パネル（２１）の当該揺動能力を実現させるための構築体全体を見えないように隠しているエプロン（６３）、を含んでいるということを特徴とする事務用、作業用、及びレジャー用椅子。
【請求項１２】
請求項１から１１の何れか一項に記載の事務用、作業用、及びレジャー用椅子において、前記椅子が、ユーザーの背部の閾下運動を促すための背もたれ部（２２）を備えており、前記背もたれ部は、前部柱状帯（７１）と後部柱状帯（７２）とを有する中央部運動学的要素（７０）を備えており、この要素（７０）は前記座部パッド（１９）の後端の中央から上方に延びており、前記中央部運動学的要素は、更に、前記着座者の背部領域を脊柱の両側へ向かって支持するための多数の運動学的要素であって、当該中央部運動学的要素（７０）の前記前部柱状帯（７１）から側方にリブ（７６）の様に張り出していて接続ウェブ（７９）と一体に２つの横帯（７７、７８）からそれぞれ成っている多数の運動学的要素、を備えている、ということを特徴とする事務用、作業用、及びレジャー用椅子。
【請求項１３】
請求項１２に記載の事務用、作業用、及びレジャー用椅子において、前記中央部運動学的要素（７０）は、それが調節可能な抵抗を備えて弾性的に後方に向かって傾くことができるように、そしてそれの前部柱状帯（７１）が脊柱の輪郭に追従するような具合に曲がることができるように実現されており、それというのも、接続ウェブ（７４）の前記後部柱状帯（７２）からの長さが可変又は関節運動式に調節可能であり、又は前記接続ウェブ（７４）の前記前部柱状帯（７１）と前記後部柱状帯（７２）との向かい合う内面への連結が前記前部柱状帯（７１）および前記後部柱状帯（７２）側で長手方向に変位できるようなっていて、前記接続ウェブ（７４）が、弛緩した位置では前記前部柱状帯（７１）と前記後部柱状帯（７２）との間にクリアランスを画定し、この前部柱状帯へ局所圧力が掛けられたときには前記接続ウェブ（７４）の配列及び設計に従って前記前部柱状帯（７１）の形状及び長さが変化するようになっているからであり、また、前記着座者の背部領域を脊柱の両側へ向かって支持するために、前部横条片（７７）が前記前部柱状帯（７１）上に一体に形成され当該前部柱状帯（７１）の両側からリブ（７６）の様に張り出していて、前記前部横条片（７７）は、前記前部柱状帯（７１）又は前記後部柱状帯（７２）上にウェブ（７９）によって一体に形成されている後部横条片（７８）へそれぞれ接続されており、前記ウェブ（７９）もまた長さ可変又は関節運動式に調節可能であるか、又は前記ウェブ（７９）の前記前部横条片（７７）と前記後部横条片（７８）とへの連結が前記前部横条片（７７）と前記後部横条片（７８）と側で長手方向に変位できるようになっていて、前記ウェブが、弛緩した位置では前記前部横条片（７７）と前記後部横条片（７８）との間にクリアランスを画定し、前記前部横条片（７７）へ局所圧力が掛けられたときには前記ウェブ（７９）の配列及び設計に従って前記前部横条片（７７）の形状及び長さが変化し、前記前部横条片がそれらへもたれかかっている前記着座者の前記背部の周りに適合するように締まるからである、ということを特徴とする事務用、作業用、及びレジャー用椅子。
【請求項１４】
従来式の椅子の非揺動性座部面上又は任意の座部面上に設置し、それによりその上の着座者としての人の閾下動作を生じさせるための後付けキットにおいて、当該後付けキットが座部パネル（２１）を備え、前記座部パネル（２１）は、接続ホース（２７）によって互いへ接続されていて弾性的に変形可能な中空体（１４）上に載る複数の変形可能な空気室（１８、３５）に載っていることから揺動能力を備えて取り付けられているものであり、前記中空体は、前記人が前記椅子に腰を下ろすたびに前記空気室（１８、３５）に空気を入れるためのポンプの役目を果たし、前記人が前記椅子から立ち上がるたびに自身の弾性的展開に因り再び空気で充満し、何らかの漏出損を補償するために一方向弁を備えるポンプホース（１２）が前記中空体（１４）から前記空気室（１８、３５）のうちの少なくとも１つへ通じており、前記空気室（１８、３５）の間の前記接続ホース（２７）は、前記座部パネル（２１）の当該揺動距離並びに当該揺動動作の緩衝が可変になるように機械式、油圧式、空気圧式、又は電気式に計量式に開閉させることのできる弁を具備しており、前記中空体の底板（６１）は、従来式の事務用、作業用、及びレジャー用椅子の座部面又は任意の座部面へ付着させることのできる基板上に取り付けられている、ということを特徴とする後付けキット。
【請求項１５】
請求項１４に記載の後付けキットにおいて、その基板が周辺の下方に張り出すエプロン様フレームをその底部側に備えており、このフレームの内部は、後付けされることになっている従来式の椅子の座部面の輪郭にぴったり沿った適合を実現させるために、熱の影響下に硬化させることのできる発泡体の塊を充填されている、ということを特徴とする後付けキット。
【請求項１６】
請求項１４から請求項１５の何れか一項に記載の後付けキットにおいて、前記空気室はドーナツ型のホース環体（１６）の内部の複数の仕切り壁（１７）によって区画（１８）の形態に実現されており、隣接する区画（１８）同士は接続ホース（２７）によって接続されている、又は個別クッション（２５）の形態をしている空気室の場合は、隣接する個別クッション（２５）同士は接続ホース（２７）によって接続されており、前記接続ホース（２７）は、プッシュプルケーブルシステム又はボーデンケーブルによってそれぞれ作動させることのできる滑動式又はテンプレート型の弁（７５）又は旋回式の弁（８９）へ接続されている、ということを特徴とする後付けキット。
【請求項１７】
請求項１４から請求項１６の何れか一項に記載の後付けキットにおいて、前記空気室がドーナツ型のホース環体（１６）の内部の複数の仕切り壁（１７）によって区画（１８）の形態に実現されており、隣接する区画（１８）同士は接続ホース（２７）によって接続されている、又は個別クッション（２５）の形態をしている空気室の場合は、隣接する個別クッション（２５）同士は接続ホース（２７）によって接続されているということ、及び、前記接続ホース（２７）はピンチ弁（３１）へ接続されていて、当該ピンチ弁（３１）を通ってこれらの弧状のホース区分が延びており、これらのピンチ弁（３１）は、上方に開口するチャネル（３４）を形成している案内リング（３２）と、その中で案内リング（３２）の中心周りに回転可能であって回転方向に前記中心から減少する半径を有する外側の挟み付け面（３６）を備えているピンチリング（３３）と、の使用により構成されており、プッシュプルケーブルシステム又はボーデンケーブルの助けを借りてばね力に逆らって前記ピンチリング（３３）を回転させることによって、前記案内リング（３２）の前記チャネル（３４）の中へ張り出す前記ホース区分を前記案内リング（３２）の前記チャネル（３４）の外壁の内面と前記挟み付け面（３６）の間で計量式に挟み付け、それにより計量式に開閉させることができるようにしている、ということ、及び、圧力損失時にこれらの空気室が一杯まで締め付けられて閉ざされるのを防ぐために、寸法安定性発泡体（６７）が前記空気室内に収容されている、ということを特徴とする後付けキット。
【請求項１８】
請求項１４から請求項１７の何れか一項に記載の後付けキットにおいて、前記事務用、作業用、及びレジャー用椅子を前記座部パネル（２１）のところで持ち上げ運ぶために、前記座部パネル（２１）は、ワイヤケーブル（６６）によって前記中空体（１４）へ接続されている、ということを特徴とする後付けキット。
【請求項１９】
請求項１４から請求項１７の何れか一項に記載の後付けキットにおいて、前記座部パネル（２１）が、アプリケーションを有するスマートフォンを水平方向に挿入するための差し込みスロットを有しており、前記アプリケーションは、この事務用、作業用、及びレジャー用椅子と関連付けられていて、前記事務用、作業用、及びレジャー用椅子の着座者の着座習慣を判定する働きをし、前記揺動運動が前記スマートフォンによって時間の関数として記録され、前記アプリケーションにより評価され、表示され、更に無線式に読み出すこともできるようになっている、ということを特徴とする後付けキット。
【請求項２０】
請求項１４から請求項１９の何れか一項に記載の後付けキットにおいて、前記座部パネル（２１）が、積層体に類似に実現されていて下部軟質支持層（６４）と上部硬質支持層（２０）とを備えている二層又は多層座部パッド（１９）を具備しているということ、及び、前記座部パネル（２１）が、周辺の下方に延びるエプロン（６３）であって前記座部面を越えて下方へ張り出していて前記座部パネル（２１）の当該揺動能力を実現させるための構築体全体を見えないように隠しているエプロン（６３）、を含んでいる、ということを特徴とする後付けキット。
【請求項２１】
請求項６に記載の事務用、作業用、及びレジャー用椅子において、前記座部パネル（２１）及び前記座部パッド（１９）が、前記事務用、作業用、及びレジャー用椅子を前記座部パッド（１９）のところで持ち上げ運ぶために、および前記揺動能力の剛性を、異なる体重別に、前記座部パネル（２１）と前記中空体（１４）の間の距離を縮めそれにより当該空気室内の内部圧力を増加させることによる前記空気室の予張力付与の結果として調整するために、前記ワイヤケーブル（６６）へ組み入れられている調節可能な引張ばね（６５）によって、前記中空体（１４）へ接続されている、ということを特徴とする事務用、作業用、及びレジャー用椅子。
【請求項２２】
請求項１８に記載の後付けキットにおいて、前記座部パネル（２１）は、前記事務用、作業用、及びレジャー用椅子を前記座部パネルのところで持ち上げ運ぶために、および前記揺動能力の剛性を、異なる体重別に、前記座部パネル（２１）と前記中空体（１４）の間の距離を縮めそれにより当該空気室内の内部圧力を増加させることによる前記空気室の予張力付与の結果として調整するために、ワイヤケーブル（６６）へ組み入れられている調節可能な引張ばね（６５）によって、前記中空体（１４）へ接続されている、ということを特徴とする後付けキット。
【発明の詳細な説明】
【技術分野】
【０００１】
[0001]本発明は、事務用、作業用、又はレジャー用の椅子において、空気圧で起動されるようになっている関数的でユーザー定義の機構を用いることにより、着座者の受動的に誘導される閾下の緩衝された運動（subliminal dampened movements）を促すことで有意に改善された着座快適性を、特に長い着座期間に亘って、提供する事務用、作業用、又はレジャー用の椅子に関する。他方で、本発明は、更に、着座者の閾下運動を生じさせるために、既存の椅子又は任意の座部パッド又は座部面へ設置するための後付けキットに関する。
【背景技術】
【０００２】
[0002]人々つまり勤労者にとって、座ることは、比較的近年の現象であり、サービス産業の出現及びコンピュータの導入までは本質的に広範に亘る影響を及ぼすものではなかったという事実に照らせば、身体の姿勢としての座りが高まる重要性を得つつあり、今日では勤労日を着座位置で過ごす人が膨大な数に上ることから座りは公衆衛生に相応の影響を及ぼす。ドイツでは、大凡８０００万の人口に合計４０億脚の椅子が分配されており、この比は概算で市民一人当たり椅子５０脚に相当する。従って製品としての椅子は、誰にとっても馴染みのある必需品であることは分かっており、それが群を抜いて広く使用されているという理由のみをとっても、椅子は最大限の快適性を提供し個々のユーザーの幸福と身体的健康を推進させるべきである。
【０００３】
[0003]アメリカン・ジャーナル・オブ・フィジオロジー（American Journal of Physiology）に発表されているテルアビブ大学の科学研究は、ヒトの身体は恒常的に圧力及び／又は張力に曝されている箇所により大量にまたより速く脂肪を蓄積させることを裏付けている。研究所の試験では、長時間に亘る座りをシミュレートするためにアジポサイト（脂肪細胞）が意図的に機械的応力に曝された。アジポサイトが機械的圧力の影響下でどの様に変化するかを調べるために最先端の顕微鏡検査が使用された。脂質の液滴は集塊化し、より大きくより堅くなっていった。このことから、長い着座期間中の静的圧力が臀部及び大腿の脂肪蓄積を助長するものと結論付けることができる。対照的に、アジポサイトのサイズは周期的伸展によって縮小させることができるのではないだろうか。
【０００４】
[0004]先行技術は、複数の椅子構築、つまり事務用、作業用、及びレジャー用椅子の構築を含んでおり、それらはどれも座りの快適性を最適化し且つ同時に健康的な座りを可能にしようと努めている。典型的な事務用、作業用、及びレジャー用椅子は、支柱から星形様式に半径方向に張り出す複数の脚部又は水平リングと一体の走り装置を有しており、当該脚部又は水平リングにはローラーが追加の垂直軸周りに回転可能に取り付けられ、椅子を基本的に全方向に転がすことができるようにしている。典型的な事務用、作業用、及びレジャー用椅子は、更に、垂直軸周りに回転可能に走り装置上に取り付けられていて高さに関しては調節可能であるがそれ自体は静止である安定した座部面、を有している。その様な椅子の上では着座者の臀部及び背部が動かされることは殆どなく、このことは血液循環にとって有害であり、また最後になったが同じく重要なこととして幸福にとっても有害である。事務用椅子は更に背もたれ部を具備しており、肘掛け部を具備していることも多い。座部の高さ、背もたれ部の勾配、肘掛け部の高さ、などを調節するための制御要素は、どれも座部面の下に配置されていて、椅子に腰かけている間は対応するレバーが見えない。
【０００５】
[0005]人間工学的な事務用、作業用、及びレジャー用椅子のモデルが、例えばドイツ特許第１０２００５０３３０５２Ａ１号に開示されている。この公開は、座部面が傾け装置上に横たわっている座るための家具を開示している。空気クッションの形態をしているロック装置が、環状の管によって形成されていて、空気クッションによって傾け動作の傾け角度を調節できるような具合にこの傾け装置へ割り当てられている。１つの見込まれる実施形態は、傾け動作を制限する又は不活動化するために個別に空気を入れることのできる複数の空気クッションを備えている。座部面の下に配列されているハンドレバーが、着座者が空気クッションを空気ポンプによって膨らませられるようにし、又は中に入っている空気を同じく座部面の下に配列されている脱気弁により排出させられるようにしている。
【０００６】
[0006]類似の構成が、米国特許第２００８／００７９３０１Ａ１号に開示されている療法用座部組立体から知られている。この公開は、自己受容及び体幹の健康を増進するための装置、具体的には脳性麻痺又は脊柱側弯症の様な神経筋肉系疾患を有する人たちのための装置を記載している。このシステムの技術工学は、段落［０００５］から知られているものと同様に、支持構造、動作制御ユニット、及び座部パッドと一体に構成されている。２つの軸が互いに直角に延びていて、その周りに座部パッドが回転可能に取り付けられているものであり、当該２つの軸は装置の設計によって画定されている。これらの動作を緩衝するために、この公開は、更に、膨らませることのできる環状要素から成る緩衝装置を開示している。この要素に収容される空気体積は、座部パッドの下に配列されているポンプ及び排気弁の助けを借りて調整できる。しかしながら、この公開に開示されている装置は、椅子の着座者の可変の緩衝された傾け動作を実現させるための複数の個別要素を備える非常に複雑な設計を有している。
【０００７】
[0007]また、国際公開第２００７／１０５９６０Ａ１号は、中心を支持される座部パッドと一体の座部組立体を開示している。中心の支持体周りに互いに反対側に又は直交にそれぞれ配列された２つか又は４つの何れかの空気クッションが、この座部担持体の下に位置付けられていて、回転軸に沿って定義可能な緩衝調節を実現させるために当該空気クッション間で空気を交流させられるようなやり方で互いへ接続されている。
【０００８】
[0008]上述の文献は、本質的には、着座中の運動性を空気圧により実現させることに関する先行技術を形成している。掻い摘んで言うと、その様な座部組立体上の着座者は、２つの軸周りに重ね合わされている傾け動作であって空気クッションにより緩衝される傾け動作を行うことができるわけである。この場合、問題の着座者は空気体積又は圧力をそれぞれ手動で、座部パッドの下で作動させることのできるポンプと弁によって調整することができる。但し、実際のところ、これらの解は満足のゆく着座習慣には行着かない。長い時間の期間に亘って着座位置に留まる人たちは極めて不精で座部調節を変更することがめったにないことを多くの研究が裏付けている。事実、その様な人は上述の文献に開示されている空気クッションの緩衝度を１回だけ調節したら、個々の傾き度に慣れてしまう。人が椅子の上に腰を下ろした後ほどなく、当人の動作の活動性は既に著しく減少しているか又は完全に止んでいる。身体は傾け動作を避けようとするのが普通であり、着座者がこのことに直接気付いていなくても自然とそうする。人々は自らが不必要な動作を行うことを阻止するというのは人間の生来的な惰性である。加えて、会社勤めの人で勤労日を終日、事務用、作業用、又はレジャー用の椅子に座って過ごす人は、この椅子の異なる調節を系統的に行おうとすることは殆どない。勤労者は自分で快適であると見極めた位置に座ってしまえば、この位置をより悪い座り心地に変更する危険を冒そうとはしないであろう。勤労活動の点から見て、その様な勤労者はまた座部調節を変更することを考慮することすらしないであろう。自発性が必然的に欠けているのであるから、可変の精密な調節を多種多様に取り揃えたところで、この無活動を防ぐことはできない。
【先行技術文献】
【特許文献】
【０００９】
【特許文献１】ドイツ特許第１０２００５０３３０５２Ａ１号
【特許文献２】米国特許第２００８／００７９３０１Ａ１号
【特許文献３】国際公開第２００７／１０５９６０Ａ１号
【発明の概要】
【発明が解決しようとする課題】
【００１０】
[0009]而して、本発明は、閾下運動を促すための事務用、作業用、及びレジャー用椅子を開示するという目的に基づくものであり、この目的のため、［０００１］に定義されている属性、特に長時間の健康的な座りのための機械的−生理学的刺激、を実現するための新しい手法を提案する。本椅子は、座りを全く新しいレベルへ高め、不活動性の座りから、臀部、背部、及び大腿部の身体組織の血液循環を促しもする必定的に動的で刺激性の座りへの変化をもたらすはずである。臀部及び骨盤の領域並びに間接的には背部領域の筋系全体を活性に保つためには、現在利用できる事務椅子によって余儀なくされている骨盤領域の不活動性は、自然であり且つ必定的又は不可避的に起こる骨盤動作に取って替わられるべきである。この骨盤動作は、捻転力及び屈曲力が脊柱へ主に腰椎の領域で作用することになる点で脊柱の連動する動作へつながるものである。
【００１１】
[0010]事務用、作業用、及びレジャー用椅子は、着座者の動作を必定的に誘導するべきであり、当該動作を、適応性荷重依存運動学を用いて閾下的に、着座者が概して又は選択的にもこの誘導に気付かないように、従って着座者の集中力が損なわれないようにして誘導するべきである。その結果、着座者は閾下動作を絶えず不可避的に行うことになる。この種の不可避的で閾下的に活動性の座りは、仕事の集中力を平均レベルより上に高めるはずである。従って、これらの軽微動作の誘導は、各人の遂行性又は他の精神的ストレスの観点から失敗しない高信頼度の手段で以て確約されなければならない。それにより、言及されている目的は、持続的、永久的に達成されるはずである。
【００１２】
[0011]事務用、作業用、及びレジャー用椅子は、随意的には、カスタマイズ可能なユーザープロファイルに対応していて、当該プロファイルの調節オプションもまた実際に定期的に使用できるようになっているのがよい。事務用、作業用、及びレジャー用椅子は、静止構造というよりむしろ間接的に活動性の椅子であるのがよく、但し人工のエネルギー源からほぼ自律して使用できるものでなくてはならず、幾つかの実施形態では更に完全自律であり、従ってどこでも使用できるものでなくてはならない。
【課題を解決するための手段】
【００１３】
[0012]この目的は、着座者の閾下動作を生じさせるための事務用、作業用、及びレジャー用椅子であって、関節運動自在のローラー付き十字形基部、座部パネル及びその上に載っている座部パッドのための境界板と一体の少なくとも１つの空気圧式ばね作用支柱、並びに背もたれ部、に特徴付けられる事務用、作業用、及びレジャー用椅子において、座部パネルが揺動能力を備えて空気圧式揺動クッション上に取り付けられており、当該空気圧式揺動クッションは、接続ホースによって互いへ接続されている複数の変形可能な空気室を備えていて、弾性的に変形可能な中空体上に横たわっており、当該中空体は、人が椅子に腰を下ろすたびに空気室に空気を入れるためのポンプの役目を果たし、人が椅子から立ち上がるたびに自身の弾性的展開に因り再び空気で充満し、何らかの漏出損を補償するために一方向弁を有するポンプホースが中空体から空気室のうちの少なくとも１つへ通じており、空気室の間の接続ホースは、座部パネルの揺動距離並びに揺動動作の緩衝が可変になるように機械式、油圧式、空気圧式、又は電気式に計量式に開く弁を具備している、ということを特徴とする事務用、作業用、及びレジャー用椅子により達成される。
【００１４】
[0013]以上に定義されている目的は、また、従来式の椅子の非揺動性座部面上又は任意の座部面上に設置し、それによりその上の着座者の閾下動作を生じさせるための後付けキットにおいて、当該後付けキットが座部パネルを備え、当該座部パネルは、接続ホースによって互いへ接続されていて弾性的に変形可能な中空体上に座部パネルの中心周りに円を描くように載る複数の変形可能な空気室に載っていることから揺動能力を備えて取り付けられているものであり、当該中空体は、人が椅子に腰を下ろすたびに空気室に空気を入れるためのポンプの役目を果たし、人が椅子から立ち上がるたびに自身の弾性的展開に因り再び空気で充満し、何らかの漏出損を補償するために一方向弁を有するポンプホースが中空体から空気室のうちの少なくとも１つへ通じており、空気室の間の接続ホースは、座部パネルの揺動距離並びに揺動動作の緩衝が可変になるように機械式、油圧式、空気圧式、又は電気式に計量式に開閉できる弁を具備しており、中空体の底板は、従来式の事務用、作業用、及びレジャー用椅子の座部面へ又は任意の座部面へ付着させることのできる基板上に取り付けられている、ということを特徴とする後受けキットにより達成される。
【００１５】
[0014]事務用、作業用、及びレジャー用椅子並びに後付けキットの他の随意的な実施形態は、追加の重要な機能を充足させる。この椅子及び後付けキット並びにそれらの機能の例示としての実施形態が以下に図面を参照しながら記述され解説されている。
【図面の簡単な説明】
【００１６】
【図１】区画を有する空気圧式環状管に因る揺動作用座部面を有している事務用、作業用、及びレジャー用椅子の必須構成要素の分解図を示している。
【図２】４つの区画を有し隣接する区画同士がそれぞれホースによって接続されているホース環体の形態をしている揺動クッションを示している。
【図３】区画／空気室の間の接続ホースを計量式に開閉するための滑動式又はテンプレート型の弁を示している。
【図４】揺動クッション側の４つの接続ホースのための４つのピンチ弁を形成するための回転可能なピンチリングを示している。
【図５】図４による回転可能なピンチリングを透過図の形態で示している。
【図６】案内チャネルを有する案内リングの中へ挿入され、その中で回転可能に支持されるピンチリング並びに案内チャネルの中へ張り出すホース区分を示している。
【図７】ホース環体の区画の接続ホースのためのピンチ弁に対する或る代替としての旋回式の弁の構成要素を示している。
【図８】ホース環体の区画の接続ホースのための組み立てられた旋回式の弁を示している。
【図９】揺動クッション又は個別クッションのための支持体兼ポンプの働きをする円錐台の形態をしている中空体並びにその供給弁及び排気弁を下から斜めに見た図の形態で示している。
【図１０】ホース環体に対する或る代替としての、接続ホースによって接続された４つの個別クッションの形態をしている揺動クッションを示している。
【図１１】４つの個別クッションを備える事務用、作業用、及びレジャー用椅子の正面図を、下部を開放して示している。
【図１２】追加の肘掛け部と一体に組み立てられた状態にある図１による事務用、作業用、及びレジャー用椅子を示している。
【図１３】設置されているピンチ弁を作動させるためのボーデンケーブルを作動させるレバーを有する肘掛け部を示している。
【図１４】ばね荷重式締め付け板によってボーデンケーブルの何れかの位置にロックさせることのできる肘掛け部上のレバーを示している。
【図１５】事務用、作業用、及びレジャー用椅子の或る電気式変形型での、揺動動作を検出し対話式に制御するための、圧電弁又はソレノイド弁を用いた回路を示している。
【図１６】揺動作用座部面を運動学的（phoronomic）要素の背もたれ部と組み合わせて有しているその様な事務用、作業用、及びレジャー用椅子を示している。
【図１７】背もたれ部及びその運動学的要素の背面図を示している。
【図１８】運動学的要素を有する背もたれ部の単純で有効性の高い構築を示している。
【発明を実施するための形態】
【００１７】
[0015]着座者の閾下動作を生じさせるためのその様な事務用、作業用、及びレジャー用椅子の設計は図１から集成することができ、この椅子は本図ではその必須構成要素を更に詳細に示す分解図の形態で描かれている。十字形基部１が一番下に描かれており、その上に空気圧式ばね作用支柱２が、本事例では中心に配列されているが、当該支柱は側方へずらすこともでき、例えば、座部面１９の下の区域を空けておくために事務用、作業用、及びレジャー用椅子の背もたれ部２２の下で一杯まで後方に寄せてずらされていてもよい。空気圧式ばね作用支柱２の高さは、従来式に空気圧式ばねの助けを借りて調節することができる。十字形基部１は、５つ又はそれ以上の腕部を有していて腕部の端に関節運動自在のローラー４がそれぞれ取り付けられている星の形状をしたローラー組立体によって形成されていてもよい。示されている実施例では、十字形基部１は下に向かって連続リング３へと姿を変え、当該リングに多数の関節運動自在ローラー４が取り付けられている。これは、確実に、事務用、作業用、及びレジャー用椅子を全方向に最小限の抵抗で極めて容易に転がせられるようにする。境界板５の形態をしている担持板が、十字形基部１の空気圧式ばね作用支柱２の一番上に描かれており、座部面の揺動能力を実現するための全ての構成要素がこの境界板上に配列されている。この境界板５の下には椅子機構も配列されていて、この椅子機構上の境界板５を空気圧式ばね作用支柱２上で前方及び後方に変位させることができるようにしていてもよい。境界板５の上にはプラスチックの中空体１４の底板６１が載っている。中空体１４は、円錐状上面１５を有する蛇腹様接続部６０を有しており、この円錐は、円錐の高さが大凡２ｃｍにしかならないように、その先端に示されているより遙かに広い角度を持たせることで実現させることができる。中空体１４の頂部は平面状に実現されていてもよいが、以下に説明されている様に円錐形状は特に都合のよいことが判明している。中空体１４は、周囲から空気を取り込むことができるように、一方向弁５７を具備している。反対方向に作用する別の一方向弁が、中空体１４の上方に横たわっているホース環体１６の中へホース１２を介して通じている。中空体１４は、更に、圧力制御弁５８を具備している。中空体１４の円錐状上面１５は、人が椅子に腰を下ろすたびに底板１６に向かって軸方向に押圧されるので、蛇腹様接続部６０は、更に以下に解明されている様に、円錐状上面１５の縁が底板６１に重なるまで弾性的に折り畳まれる。この事例では、中空体１４は、ポンプの役目を果たしていて、その体積の減少に因り空気をホース環体１６の中へ接続ホース１２を通して送り込む。反対に、人が椅子から立ち上がったとき、弾性蛇腹様接続部６０がばねの役目を果たし、中空体１４の円錐状上面１５を上向きにその始動位置へと再度押し上げ、それにより、その上に載っている全ての要素がせり上がる。中空体の体積の膨張及びその結果としてのその内部の負圧形成に因り、周囲からの空気がその内部の中へ一方向弁５７を介して流入し、中空体１４は次の空気入れ動作に備えて満たされる。中空体１４内の圧力制御弁５８が圧力を最大値に制限する。
【００１８】
[0016]円錐状上面１５の上には、少なくとも１つの空気室を有する揺動クッションを形成している１つ又はそれ以上の空気クッションが載っている。示されている実施例では、揺動クッションは、膨らますことのできる救命具又はタイヤチューブと類似に実現されているホース環体１６によって形成されている。このホース環体１６は、示されている実施例では４つの仕切り壁１７を備えていて、それにより、空気室の形態をしている４つの区画１８へ分割されている。ホース環体１６は、中空体１４の、程度の差こそあれはっきりそれと分かる円錐形状のおかげで、円錐上に中心を合わせて保持される。これに関し、円錐形状が特に都合がよいというのはまさにこのことが理由である。ホース環体１６の中心には４つのホース接続部２７が描かれている。これらの４つのホース接続部２７の各々は、２つの隣接する区画１８にそれぞれ接続していて、中心に向かって、中心ホース環体１６の開放されたままの領域の中へ弧の形状に張り出している。これらのホース接続部２７は、以下に更に詳細に説明されている特別な弁と協働してこれらの区画１８間の計量された空気交流を遮断するか又は許容するかのどちらかの働きをする。ホース環体１６が中空体１４に載ったら、座部パネル２１が、ホース環体１６によって形成されている環状支持面上に次に載るようにしてホース環体へ付着される。
【００１９】
[0017]境界板５と中空体１４とホース環体１６から成る構築体全体は、椅子の上では、破線で指示され座部パネル２１から下方へ張り出すエプロン６３によって覆われており、椅子が組み立てられた状態で、このエプロンは、座部パネル２１の揺動能力を実現させるための構築体全体が隠れる即ち座部パネル２１の最大の揺動傾斜時でも隠れるような或る特定の距離だけ境界板５を越えて張り出している。背もたれ部を取り付けるための通路を提供するために必要であれば、エプロン６３は、空気圧式ばね作用支柱２又は境界板５へ付着されている背もたれ部２２に正対するその背面側に垂直スロットを有している。例えば、エプロン６３は、剛性又は可撓性の金属又はプラスチックのシュラウドから成っていてもよい。それは、装飾機能も充足させるように織物又は別の適切な材料で覆われていてもよい。
【００２０】
[0018]実際の座部クッションを形成する座部パッド１９は、座部パネル２１の上へ不動に付着される。この座部パッド１９は、積層体に類似した２つ又はそれ以上の層で構成されていて、可撓性材料から成る下側の支持層６４を従えた支持板６５を備えており、そこに上側の支持層２０が載っていて下側の支持層６４より硬質に実現されている。座部パッド１９は、更に多い層で構成されていてもよい。肝心なのは、軟質層の上方に硬質層が続いていることであるが、軟質層を繰り返し一番上に設けることもできる。この座部パッド１９は座部パネル２１へ精密に馴染む様式で付着させるようにしてもよく、例えば、その底に座部パネル２１に精密に馴染む円形陥凹を持たせてもよい。説明されている要素のこの組み立てられた状態では、座部パネル２１及び座部パッド１９と一体の椅子は、而して揺動が可能になり、つまりは、空気の充満したホース環体１６が揺動クッション又は空気室の役目をそれぞれ果たすので全方向へ揺動できるわけである。また一方、揺動能力は以下に更に説明されている様に制御することができる。
【００２１】
[0019]図２は、空気室を有する揺動クッションの形態をしているその様なホース環体１６を示しており、このホース環体は、４つの区画１８又は空気室をそれぞれ形成するために４つの半径方向に延びる仕切り壁１７を備えており、隣接する区画１８又は空気室同士はホース２７によってそれぞれ接続されている。これらの４つのホース区分２７は、ホース環体１６の中心の空いたままになっている空間の中へ或る特定の距離だけ張り出している。座部面の揺動能力を制限する及びその緩衝を調整するために、４つのホース区分２７を各自のピンチ弁によって集合的により大きい範囲に又はより小さい範囲に閉じることもできるし又は一杯まで締め付けて閉ざすことによって全面閉鎖することすらできる。複数区画１８又はこれらの区画の少なくとも１つは、空気を制御された様式でそこから排出させることができるように、制御可能な排気弁２９へホース３０によって接続されている。排気弁１９は、揺動能力を強化させなくてはならないとき、又は例えば体重の軽い人が椅子を使用したいときに、空気を揺動クッション１６又は空気室から周囲へ計量式にそれぞれ排出するために、例えばねじ型式の弁又は単純にタイヤチューブで従来使用されている型式の弁から成っていてもよい。或る代替形として、排気弁２９はプッシュプルケーブルシステム又はボーデンケーブルで作動させるようになっていてもよい。その様なプッシュプルケーブルシステムは、引き動作又は押し動作を可能にさせる単一ケーブルを含んでいてもよいし、又は２つの反対方向に動くケーブルであってレバー又は旋回式ハンドルによって両方向に連続的に動かせて、何れかの調節位置にロックできるようになっているケーブルを含んでいてもよい。これらの調節オプションに対する代替形として油圧式又は空気圧式の調節も実現させることができるのではないだろうか。その場合は、油圧ライン又は空気ホース管が、ピストンを引き込んだり伸ばしたりすることによって弁を作動させる小型のピストン−シリンダユニットへ通じている。最後に、電気式変形型を実現させることも構想でき、その場合、ボタンが押された時点で電気モーターによってプッシュプルケーブルが作動させられ、続いて当該ケーブルが弁を作動させる。但し、この変形型ではバッテリの形態をしているエネルギー貯蔵装置が必要となろう。
【００２２】
[0020]以上に既に言及されている様に、供給ホース１２が中空体１４からホース環体１６の中へ通じており、この供給ホース１２は、空気が中空体１４からホース環体１６へ流入するだけで反対方向には流れることができないように一方向弁１３を具備している。ホース環体１６は、最小限とはいえ或る一定の回避できない空気損失を被るものであるため、この空気損失をポンプの役目を果たす中空体１４によって継続的に補償させる。揺動クッション又はホース環体１６内の空気圧は、人が椅子に腰かけるたびに増加し、ホース環体１６内の圧力制御弁によって定義されている最大値まで空気を送り込まれる。その結果、この椅子は、外部エネルギー無しに――例えば電気的接続無しに――存立でき、その制御可能な揺動能力は長期間に亘って即ち何年間も維持される。
【００２３】
[0021]揺動クッションが硬く膨らまされている場合、即ちホース環体１６が硬く膨らまされている場合、揺動能力は非常に限定されていてほとんど気付かれず、つまりは重い人が椅子に座ったとしても気付かれない。揺動クッション１６が収容している空気がより少ない場合、揺動能力はより顕著であり、何れかの方向への傾けは限界ストッパによって画定されている最大傾斜度にまで至り得る。この目的のために、個別クッションの内部又はホース環体１６の区画１８の内部に特別なインサートがそれぞれ設置されている。これらのインサートは特別な形状をしていて、座部パネル２１がその側面のうち１つの側面側でその最大値まで傾けられたときに座部パネル２１がこれらのインサート上に精密に馴染む様式で乗りかかるようになっており、当該インサートはというと中空体１４の円錐状上面１５に精密に馴染む様式で乗りかかることになる。これらのインサートは図２に描かれている。それらは、開いた又は閉じた細孔を有する発泡体６７又は成形体から成り、その最も外側の層は、揺動クッション又は空気室の区画１８の個々の内部が損傷しないように或る一定の軟性を有している。長い時間期間を経て圧力蓄積の欠如に因り又は漏れに因り、揺動クッション１６又はホース環体１６にもはや空気が入っていない状態になったら、座部パネル２１はこれらの発泡体又は成形体上に下がっているはずであり、それでも椅子は損傷を被ることなく使用できるであろう。
【００２４】
[0022]図３は、上部円盤６８及び下部円盤６９を有する滑動式又はテンプレート型の弁７５を示している。示されていないが穴テンプレートの形態をしている薄い有孔円盤がこれら２つの円盤６８、６９の間に回転可能に挿入されている。接続ホース２７は、上方から上部円盤６８の天面の中へ通じている。上部円盤６８の中の軸方向の孔は、下部円盤６９の軸方向のめくら孔の中へ通じ、そこでそれらは１８０°向きを変え、再度上に向かって第２のホースの中へ上部円盤６８を貫いて通じている。穴テンプレートの穴は、旋回式レバー９０によって調節される穴テンプレートの回転位置に依存して、孔を計量式に閉じることを、又は前記孔を一杯まで閉じる又は一杯まで開くことを可能にする。この様にして、揺動クッションのそれぞれの区画１８又は異なる空気室の間の空気交流を制御することができ、遮断することさえもできる。その様な滑動式又はテンプレート型の弁７５は、精密に計量された様式で全ての接続ホース２７を集合的に又は個別に開ける又は閉じることを可能にする。旋回式レバー７５は、単純に、肘掛け部上に配列されたレバーへ通じているプッシュプルケーブルシステムで作動させるようになっていてもよく、当該レバーは、更に、何処か他の場所、好適には座部面より上方に配置されていてもよいが、座部面の下に配置させることも随意であり、また直接に又はロッド組立体を介して、或いは油圧式に、空気圧式に、又は電気式に、作動させることも随意である。
【００２５】
[0023]図４は、滑動式又はテンプレート型の弁７５によるほぼ間違いなく最も単純な解に対する或る代替形としてのピンチ弁のピンチリング３３を示している。ピンチリング３３は、関連付けられている案内リング３２（図６）の中へ挿入されており、当該案内リングは環状案内チャネル３４を備えていて、その中にピンチリング３３が、ホース環体１６側の、又は中空体１４の周囲に亘って分散されその円錐状上面１５に載っている区画１８又は個別クッション（図１０）の間の、４つの接続ホース２７のための４つの周方向に分散されたピンチ弁をそれぞれ形成するために回転可能に支持されている。ピンチリング３３はその周辺部に挟み付け面３６を備えており、当該挟み付け面は、円周方向に増加してゆく半径を有し、而してピンチリングの回転時は傾斜台の様に作用するので、ピンチリング３３の外側陥凹の中へ静止的に張り出すホース区分２７が、挟み付け面３６によって形成されている傾斜台の当該ホース区分にのしかかる動作に因って挟み付けられることになる。
【００２６】
[0024]図４の右側に位置する図５では、このピンチリング３３は透明なプラスチック部品の形態で描かれており、当該ピンチリングは最終的に図６では案内チャネル３４を有する案内リング３２の中へ挿入された状態で示されている。ピンチリング３３は、この案内チャネル又はリングチャネル３４内へ、共通の中心周りに回転可能に挿入されている。以上に言及されている様に、ピンチリング３３は、その周辺の外側の面に、円周方向に個々に増加してゆく半径を有する４つの締め付け面又は挟み付け面３６を形成している。挟み付け面３６の、リングチャネル３４の外壁からの距離は、案内リング３２の内部でのピンチリング３３の回転位置に依存する。案内リング３２の外側の面には弾性材料のリードスルー３７が一体に形成されていて、それらは個々に、接線に対し斜めに延びる２つの穴３８を備えている。ホース区分２７は、図に描かれている様に、これらの穴３８を通って、リングチャネル３４の中へ案内リング３２の中心に向かって、示されている様に弧状様式に張り出すように個々に経路付けられている。ピンチリング３３がその挟み付け面３６をこれらの弧状ホース区分に接触させていないとき、それらホースの断面は連続的に開いていて狭窄していない。また一方、ピンチリング３３が図６に黒い矢印で指示されている様に時計回りの方向に回されると、挟み付け面３６が弧状ホース区分上を漸進的に滑ってゆき、ホース２７を挟むことによってホース断面を狭窄する。それにより流れが減少し、ホースが一杯まで締め付け閉ざされると完全に遮断される。この事例では、挟み付けプロセス中は弾性リードスルー３７がホース区分２７の材料を保護する。この目的のためにリードスルー３７は、例えばテフロンで、被覆されている。ピンチリング３３の回転は、プッシュプルケーブルシステムのケーブルで実現されていて、当該ケーブルの２つのワイヤケーブル端がピンチリング３３の周辺に係合し、而して必要に応じて一方の方向に又は他方の方向にピンチリングを回転させることができ、更にはピンチリングを何れかの回転位置にロックすることができるようにしているのが好適である。プッシュプルケーブルシステムを作動させるためのレバー又は調節用ホイール又は旋回式ハンドルは、肘掛け部上に配列されているのが好適であるが、何処か他の場所に位置付けられていてもよい。この事例では、ピンチリング３３はその挟み付け面３６が終点位置にある状態で複数のホース区分２７を集合的に封止するに足る程度まで回転可能である。適用可能であれば、従来式のボーデンケーブルをプッシュプルケーブルシステムに代えて調節のために使用することもでき、回転可能なピンチリング３３は、この場合、ピンチリングを回転させてその始動位置へ戻すコイルばねによるばね荷重が掛けられていて、このばね荷重に逆らってボーデンケーブルが引かれるようになっていてもよい。引き作用は、約３０°というピンチリング３３の十分な回転を短いレバーストロークで成し遂げることができるように、反転プーリーブロックを介して伝達されるようになっていてもよい。また、油圧式、空気圧式、又は電気式に作動させることも構想され得る。完全体のピンチリング弁は、中空体１４の円錐状上面１５の円形���凹の中へ、付着されているホース環体１６の弧状ホース区分２７の組立状態での高さにピンチ弁が置かれることになるように挿入される。
【００２７】
[0025]図７は、その様なピンチリング弁の代替として使用することのできる旋回式の弁の構成要素を示している。それは、空気室を有する揺動クッションの又は環状管１６の区画１８の接続ホース２７のための接続部を有するケーシング管８５から成る。旋回式の弁の構成要素は、各々の壁に孔を有する上部嵌め合い管８６と下部嵌め合い管８７、並びに内部孔を有する回転ピン８８を含んでいる。図８には完全体の旋回式の弁８９が組み立てられた状態で描かれている。ケーシング管８５の内部に包封されている嵌め合い管８６、８７と、回転ピン８８とは、回転位置に依存して異なる通路を開く又は封止するために互いに対して旋回させることができる。接続ホース２７がケーシング管８５の外側の面の穴へ接続されているとき、特定の接続ホースを通る流れを計量式に回転位置に依存して解放させることができ、ホースの全体断面を解放させることもできるし、又は流れを完全に遮断させることもできる。中央回転ピン８８の回転は、プッシュプルケーブルシステムのケーブルによって実現されており、その作動用レバーは肘掛け部に配列されていて、ケーブル端が、回転ピン８８の上側端面へ付着されているレバーへ作用するようになっているのが好適である。このレバーは、代わりに、コイルばねの力に逆らって回転ピン８８をその周壁の少なくとも１つの穴直径分だけ回転させるために、そしてまたコイルばねの力に因り再度回転ピンを回転させて戻すために、ボーデンケーブルで作動させることもできる。油圧式、空気圧式、又は電気式の作動を実現させることもできる。
【００２８】
[0026]図９は、円錐台の形態をしている中空体１４を示しており、当該中空体はその上に支持されることになっているホース環体１６をそのピンチ弁３１、滑動式の弁７５、又は旋回式の弁８９と一体に支持する働きをしており、本図で中空体は下から斜めに見た形態で描かれている。加えて、この中空体１４は圧縮空気のための貯蔵部の役目を果たす。例えば、境界板５の孔を通って延びるホース５２が境界板の下の領域から中空体１４の中へ一方向弁５７を介して通じている。中空体１４は、例えば射出成形プラスチック又は成形プラスチックから成る気密の中空体の形態に実現されている。それは複数部品から溶接によって組み立てられていてもよい。使用される材料は、更に、プラスチックではなくシートメタルから成っていて、例えばシートメタルの円錐部とその下に配列されている鋼板という形態に実現され、円錐部が周辺に延びる弾性ゴム蛇腹部６０によって封止式に鋼板へ接続されている、というのであってもよい。下側の底板６１は内部圧力に耐えるのに十分な強度でなくてはならない。それが内方に湾曲していれば、即ちそれが外側の面に凹形状を有しているなら、全体としての中空体１４は圧力への耐性が高い。各自空気室を有する複数の揺動クッション又はホース環体１６は、それぞれ、円錐状上面１５上に置かれ、中空体１４の円錐状外壁は、それ以降、人の荷重に曝される事務用、作業用、及びジャー用椅子の座部パネル２１及び座部パッド１９のための実際の支持面として働く。中空体１４の上方のホース環体１６に載っている座部パネル２１はその中心が中空体１４の円錐状上面へワイヤケーブル６６によって接続されているので、事務用、作業用、及びジャー用椅子を持ち上げて階段の上を運んでゆくために座部パッド１９を掴むこともできる。１つの変形型では、このワイヤケーブル６６に、更に漸進的に作用する引張ばね６５を組み入れ、中空体１４の円錐状上面１５の先端２８へ接続して、座部パネル２１が下向きにホース環体１６に押し当てて絶えず引っ張られるようにすることもできる。ねじを用い座部パネル２１への引張ばね６５の引張応力の高低を調節することによりこの張力を増加させるようにすれば、座部パネル２１がホース環体１６又は揺動クッションに当てて押圧される強さを加減することができ、それにより揺動能力を硬直化させることもできる。
【００２９】
[0027]図１０は、個々の揺動クッション又はホース環体１６の或る代わりの実施形態を示している。揺動能力は、中空体１４の円錐状上面１５に載っている４つの異なる個別クッション３５によって成し遂げられており、隣接するクッションは、中心へ或る特定の距離だけ張り出すホース区分２７によって互いへそれぞれ接続されている。これらの４つのホース区分２７は、上述の様式で、各自の滑動式又はテンプレート型の弁７５、旋回式の弁５９、又はピンチ弁３１によって、集合的により大きい範囲に又はより小さい範囲に閉じることもできるし、又は一杯まで締め付けて閉ざすことによって個別クッション３５の間の空気交流がそれ以上可能にならないように全面閉鎖することさえできる。以上に図２のホース環体１６に関連付けて既に解説されている様に、制御可能な排気弁２９を有するホース３０が、同じ様に、個別クッション３５の少なくとも１つから外へ通じており、一方向弁１３を有する供給ホース１２が同じく１つの個別クッション３５の中へ通じている。こうして形成された揺動クッションは、更に、４つより多い又は少ない個別クッション３５と共に実現させることもできるし、又は４つより多い又は少ない区画１８又は空気室を有する単一ホース環体の形態に実現させることもできることは自明である。同じく接続ホース２７は、それぞれが、ひいては個別に、滑動式の弁７５又は旋回式の弁５９を具備していてもよい。
【００３０】
[0028]図１１は、事務用、作業用、及びレジャー用椅子を下部を開放して示しており、図１０に似た個別クッション３５が描かれ、中を見えるようにするために前側のクッションは示されていない。これらの個別クッション３５は中空体１４に載っている。座部パネル２１は、個別クッション３５の上に載っている。この椅子は、高さ調節可能な腕部支持体２３上に配列されている肘掛け部２４を具備している。この事例では、プッシュプルケーブルシステム又はボーデンケーブルを作動させるためのレバー２６は、一方の腕部支持体２３に配列されている。ケーブルは、滑動式の弁７５、旋回式の弁８９、又はピンチ弁３１から成っていてもよいとされる中心の弁へ通じており、中心の弁は個別クッションの間の接続ホースを計量式に開閉する働きをする。複数の滑動式の弁７５又は旋回式の弁５９が提供されていれば、接続ホース２７を個別に計量式に開閉することもできるようになる。
【００３１】
[0029]図１２は、揺動作用座部面１９と一体に組み立てられた事務用、作業用、及びレジャー用椅子を正面図の形態で示している。この図には十字形基部１１及び空気圧式ばね作用支柱２が描かれている。計量式揺動能力を実現するための下部構造全体はエプロン６３によって隠される。高さ調節可能な肘掛け部２４が従来式に境界板又は支柱２の側方に取り付けられている。肘掛け部２４に複数のハンドルレバー２６が配列されていることに１つの独自性を見ることができる。それらは、この特定の椅子の異なる機能を制御する及び調節する働きをする。但し、それらは調節用ホイール又は旋回式ハンドルと置き換えられてもよい。座部面１９の上方の矢印は、この座部面がこれらの方向への揺動動作を又は全方向への重ね合わされた揺動動作をそれぞれ実施することができる、ということを示唆している。揺動能力、揺動距離、及びその緩衝は、設置されている弁の助けを借りて調節することができる。体重の個人差が大きい人たちが椅子を使用できるようにしなくてはならないので、即ち体重４５ｋｇの女性もいれば１５０ｋｇ又はそれ以上というかなりの体重の男性もいるので、この理由一つとっても、これらの調節は非常に重要である。体重の重い人については、揺動クッション又は空気室内の最大圧力は体重の軽い人より高目に調節され、座部パネル２１は体重の軽い人の場合より大きい力で揺動クッション対して張力を掛けられる。異なるプッシュプルケーブル又はボーデンケーブルを対応して作動させることで、破線で指示されている、対象物と関連付けられるケーブル２５又はケーブル対が、張力又は圧力を掛け、それにより揺動クッション１６の区画１８間の弁を計量式に開かせる又は閉じさせることが可能になり、また支柱２の高さ及び背もたれ部２２の傾きを調節することも可能になる。背もたれ部２２は、従来式に、境界板５上又は支柱２上にばね荷重式に枢動可能に取り付けられている。全体として見ると、プッシュプルケーブル又はボーデンケーブル２５を用いて実現させることのできる調節又は制御、又は代わりに油圧式、空気圧式、又は電気式の作動手段を用いて実現させることのできる調節又は制御は、以下の通りであり、即ち、
・ピンチ弁３１を計量開放する又は計量閉鎖する
・滑動式又はテンプレート型の弁７５又は旋回式の弁８９を計量開閉する
・複数の滑動式又はテンプレート型の弁８４又は旋回式の弁８９を互いに独立に計量開閉する
・座部面１９の高さを調節する
・揺動クッション１６、３５からの排気弁を開閉する
・中空体１４と座部パネル２１の間の漸進的なばねの張力を調節する
・背もたれ部２２の傾きを調節する
・座部パッド１９と一体の座部パネル２１を境界板５上で前方及び後方に調節する
・肘掛け部支持体２３の肘掛け部２４の高さを調節する
・背もたれ部の運動学的要素（以下に更に説明）を調節する
を実現させることができる。
【００３２】
[0030]図１３は、事務用、作業用、及びレジャー用椅子の肘掛け部２４を、肘掛け部の下に設置されていて例示としての実施形態では弁を作動させるためにプッシュプルケーブルシステムのケーブル又はボーデンケーブル２５を作動させる働きをしているレバー２６と共に示している。両肘掛け部２４は、高さ調節可能な肘掛け部支持体２３上に個々に支持されており、肘掛け部支持体２３は椅子の下部構造又は境界板５上に個々に取り付けられている。示されている実施例では、自転車又はオートバイのブレーキレバーと類似に実現されているハンドルレバー２６が、肘掛け部支持体２３上に設置されている。このハンドルレバーは、作動させられると、プッシュプルケーブルシステムの１つのケーブル又はボーデンケーブルを引っ張り、当該ケーブルは、張力が掛かると以上に説明されている様に、計量式に、例えば案内リング３２内のピンチリング３３を回転させる又は異なる設計の弁を開ける又は閉じる。ハンドルレバー２６は、基部４６内に枢動可能に取り付けられていて、この基部４６が肘掛け部支持体２３へ接続されている。レバー動作を用いて十分な調節移動量を成し遂げるために、ボーデンケーブルは座部パネルの下に反転式のプーリーブロックを形成していてもよいし、又はより大きい移動量を実現させるためにプッシュプルケーブルシステムの動作をシフトアップさせてもよい。
【００３３】
[0031]図１４は、肘掛け部支持体２３上に配列されているレバー２６であって、横軸５９周りに枢動できるばね荷重式締め付け板５０によってボーデンワイヤケーブル２５を何れかの位置にロックするための装置を備えているレバー２６を示している。ワイヤケーブル５６は、その端領域を鋼円筒体４９によって包封され、それへ堅く接続されている。その端は、ハンドルレバー基部４６内の取り付け部５５に着座するヘッド５４を担持している。ピンチリング３１へ作用するねじりばねの力に逆らってハンドルレバー２６を軸４７周りに枢動させることができる。ワイヤケーブル５６を、何れかの引張位置ひいてはピンチリング３１の何れかの回転位置にロックするために、枢動可能な締め付け板５０が、他方側を支持面４８に沿って支持されている鋼円筒体４９へ９０°より僅かに小さい極めて急な角度で作用する。締め付け板５０は、鋼ばね５３によるばね荷重式であり、従って恒常的に鋼円筒体４９に当接に枢動される。ハンドルレバー２６を作動させ、この場合は時計回りに枢動させると、ワイヤケーブル５６が上向きに引かれ、その結果、ワイヤケーブル５６を包封している鋼円筒体４９も同じく上向きに引かれ、締め付け板５０の前縁を過ぎ越して引きずられてゆく。ハンドルレバー２６が解放されるとすぐさま、ピンチリング３１内のねじりばねはワイヤケーブル５６を下へ引き戻そうとし、それにより締め付け板５０は即座に鋼円筒体４９をその位置に堅く締め付けるように仕向けられる。締め付け板５０をばね５３の力に逆らって上向きに時計回りに枢動させ、それにより鋼円筒体４９を解放させようとした後、ワイヤケーブル５６及びその鋼円筒体４９は下向きに動くことしかできない。締め付け板５０によって現出されたロックは、鋼ばね５３によってばね荷重の掛けられている押しボタン５１を下から押すことによって解除することができる。
【００３４】
[0032]以上に説明されている事務用、作業用、及びレジャー用椅子並びにその構成要素の機能に加え椅子を使用する人へのその影響が以下に更に詳細に解明されている。気密中空体１４の形態をしている蓄圧器を最初にその始動位置から充満させなくてはならない。これは人が事務用、作業用、及びレジャー用椅子に腰を下ろすことで成し遂げられ、下部構造のポンプ機能を活性化するために必要なら複数回行われる。人が事務用、作業用、及びレジャー用椅子に腰を下ろすたび、空気が揺動クッションの中へホース１２及び設置されている一方向弁（図１）を通って送り込まれる。圧力制御弁５８が中空体１４内の最大圧力を制限する。
【００３５】
[0033]事務用、作業用、及びレジャー用椅子の高さ、又はその座部面１９の高さは、この目的のための空気式圧力ばねを収容している高さ可変式の支柱２によって従来式に調節することができる。但し、プッシュプルケーブルシステム又はボーデンケーブルによって作動が実現されていて、関連付けられるレバー２６は座部面１９より上方の肘掛け部に設置されている、というところに重大な相違点を見ることができる。これは、事実上手で盲目的にレバーを探すことより遙かに使い勝手が良い。座りながらにレバー２６を用いれば、ケーブルが空気圧式ばねの力に逆らって支柱２の長さを縮めるようにロックを係合解除することで椅子の高さを縮めることができる。座部面１９をせり上げるためには、空気圧式ばね作用支柱２を用いての事務用椅子の従来通りの高さ調節と同様に、座部面１９上の荷重を僅かに減らす必要がある。
【００３６】
[0034]中空体１４がひとたび圧縮空気で充満されたら、空気は揺動クッション又は空気室又はホース環体１６の中へホース１２及び弁１３を通って流入することができ、その結果、座部パネル２１が座部クッションと共にせり上がる。座部面１９は今や全方向に揺動することができる。ホース環体１６内の空気は全周等圧力で４つの区画１８の中へ又は複数の個別クッション３５の中へ分配され、それもそれらがホース２７によって接続されているからである。揺動クッション内の選定圧力が高いほど、椅子上の着座者が一方の側に又は前方又は後方に寄りかかったときに、より抵抗性でより限定された揺動動作が起こることになる。何れにしても、傾け動作又は揺動動作は揺動クッションによって漸進的に吸収される。揺動クッションを硬設定まで膨らませたら、空気を周囲へ制御可能な排気弁２９及び排気ホース３０を通って排出させればよい。それ以降、座部面１９はより大きい角度の傾けにより揺動可能となる。揺動クッション又はホース環体１６又は個別クッション３５から圧力を逃すための排気弁２９は、ねじ型式の弁、プッシュプルケーブルシステム、又はばね荷重式ボーデンケーブルによって作動させることができる。
【００３７】
[0035]ハンドレバー２６を作動させると、弁が作動させられ、区画１８又は個別クッション３５の間の接続ホース２７がまとめてより大きい範囲に又はより小さい範囲に挟み付けられるので、制限された空気交流しか起こらなくなる。而して、一方の傾け位置からもう一方の傾け位置への座部面１９の揺動動作は、接続ホース２７を通る空気の流れが絞られているためにゆっくりとしか起こらない。例えば、座部面１９が左寄り一杯に傾けられていて、着座者が右臀部領域へ圧力を掛ければ、座部面１９は右に向かってゆっくりとしか傾けられず、即ち、流れの計量に因り流れの断面積が小さいほど揺動動作は一番左から一番右に至るのにより多くの時間を要する。こういうわけで、揺動動作を大きくも小さくも思いのままに緩衝させることができる。揺動動作は数分続くこともあるのに対し、接続ホース２７が一杯に開かれると、同じ角度に亘る動作が瞬時に実施可能になる。調節された流れの断面積が広いほど、揺動動作はより不安定になる。ホース接続部２７が一杯に開かれているとき、人は極めて揺動し易い座部面１９に座っていることになる。着座者は、ホース接続２７が開かれている程度に応じて知らず知らずに座部面１９を釣り合わせないわけにはいかなくなり、その結果、骨盤筋が常に閾下的に活性になる。接続ホース２７が完全に閉鎖されているときは対照的に、揺動動作は本質的に揺動クッションの弾性に制限され、揺動クッションが硬設定まで膨らまされていれば座部面１９はほぼ安定している。別々の滑動式の弁７５又は旋回式の弁８９がホース接続２７毎に設置されていれば、これらのホース接続部２７を通る流れを個別に計量させることができ、ホース環体１６又は個別クッション３５を中空体１４の円錐状上面１５上に異なるやり方で置くこともでき、例えば仕切り面１７同士を前方及び横方向に整列させることもできるし又は他の事例ではこの位置から４５°向きを変えさせることもできる。説明されている位置の間での仕切り壁又は個別クッション３５の全ての中間位置が考察され得る。座部面１９の揺動能力の特性は、ホース環体１６又は個別クッション３５の位置決めに依存して変わる。
【００３８】
[0036]全体として見ると、この事務用、作業用、及びジャー用椅子は、その上の着座者の閾下的な緩衝された骨盤動作を――事務用、作業用、及びジャー用椅子自体によって能動的に及ぼされる力無しに――生じさせる。これらの骨盤動作は、ここに提示されている揺動作用座部面１９の適合的荷重依存運動学によって実現される。着座者は本質的に完全に静止している座部面に座ることは決してないので、この着座者は気付かれない閾下の骨盤動作を恒常的に行う。その結果、連動する動作（運動）が誘導される。筋肉組織のこの活動は、全身体への持続的な好ましい効果はもとより着座者の精神行動にも好ましい効果がある。
【００３９】
[0037]別の実施形態では、着座者の揺動動作及びその結果生成される空気交流のせいで変化する個別区画１８又は個別クッション３５の内部圧力は、区画１８又は個別クッション３５内の圧力センサによって測定され、コンピュータユニットに記憶される。代わりに、揺動動作は、対応するスマートフォンのソフトウェアによって時間の関数として測定されるようになっていてもよい。この目的のために、座部パネル２１は、スマートフォンを挿入できるスロット形状のガレージを具備していて、挿入されるとスマートフォンは全ての揺動動作に参加し、それら揺動動作の個々の範囲及び方向を記録することができるようになる。データはその後読み出され、コンピュータユニットに記憶され、更には評価されるようになっていてもよい。このデータは、個別ユーザープロファイルを表す。
【００４０】
[0038]椅子がバッテリを具備している変形型では、対応する弁は電気式に開閉させることができ、例えば、吸気弁１３及び排気弁２９を形成する電気式ソレノイド弁の他、ピンチ弁の役目を果たす追加のソレノイド弁、又はホース２７の中へ直接設置されるソレノイド弁、によって開閉させることができる。加えて、ユーザー固有揺動プログラムを能動的に実行するために、ＳＰＳ制御が提供されていてもよい。事務用、作業用、及びジャー用椅子のこの特に独創的な実施形態では、やはりここでも圧力センサが各区画１８又はホース環体１６内に又は揺動クッションの各個別クッション３５内に設置され、圧力値をコンピュータへインターフェースを介して継続的に配信していて、コンピュータが続いてこのデータをユーザープロファイルへ処理することができるようになっている。従って、個別区画１８又は個別クッション３５の間の空気接続ホース２７、並びに供給弁１３及び排気弁２９を、更に、電気式に又はモーター駆動式に開閉させるようにし、ＳＰＳを介し弁を時間の関数として応分により大きい範囲に又はより小さい範囲に開閉することによって、固有の選択的に自動生成され記憶されたユーザープロファイル又はランダム生成器によって作製されたユーザープロファイル又は手動入力されたプロファイルを時間の関数として実行させることもできる。後者は、恒常的に且つ不可避的に、椅子を使用する人を誘導して座部面１９上で程度の差こそあれ有意な揺動動作を行わせる。電気式の変形型は、最後になったが、ホース環体１６又は個別クッション３５又は揺動クッションが空気損失のせいでインサート６７上に一杯まで低くなってしまった場合に判定するセンサを更に具備し、これが起こり座部面の揺動能力が失われてしまうかもしれなくなるたびに音響信号及び／又は光信号を送達させるようにしてもよいし、又は着座者を起立させもう１回又は複数回腰を下ろさせることによって揺動クッションを膨らませるために機械的衝撃をこの着座者へ送達させるようにしてもよい。
【００４１】
[0039]この事務用、作業用、及びジャー用椅子の或る電気式の変形型は、更に、多くの追加的オプションを提供しており、つまり、その結果による動的座りの対話型アジリティを、例えば図１５に描かれている型式の回路を用いて、実現させることができる。この場合、揺動特性は、揺動クッション全体としての空気圧が変更され得るという点で時間の関数として変化するものであり、隣接する区画又は空気室の間の空気交流は、関連付けられる電子制御によって能動的に制御され、機械式に作動させる弁に代えて電気により精密に制御された様式で作動させることのできるソレノイド弁、圧電弁、又は位置制御比例弁Ｖ１−Ｖ８が設置される。これらの弁は、示されている実施例では４つの空気クッションＣ１からＣ１の間の空気交流をより大きい範囲に又はより小さい範囲に精密計量式に許容すること又はその様な空気流れを中断することができ、しかも高速に反応することができる。この高速反応は、体積が例えば１リットルで圧力が０．５バールの蓄圧器を利用することによって実現される。これらの弁Ｖ１−Ｖ８の制御は、各揺動動作の加速度、速度、時間及びひいては距離、そして傾き、を測定するための高分解能センサを含む電子回路に基づく。これらの値を処理すると、最終的に、ユーザーの現在の筋肉／関節の力学的／感覚運動的な体質に従って対応して選択できるようになった当該椅子での広範な動作パターンをユーザーに提供することが可能になる。この場合、過度に強い恒常的揺動に因ってフラストレーションを起こすかもしれないような過負荷を凌いでトレーニング効果を最大化するためには、「思い立ったら方式」は挑戦の「正しい度合い」ほど重要ではない。椅子はかくして座りについての知的な指南役となる。異なる自由度の揺動動作が測定され視覚的に表示されるようにすることもできる。測定された偏差――デルタ――は、スマートフォンベースのアプリケーションに適合されていて及び当該アプリケーションで管理されるようになっていてもよい。これは、椅子のユーザーに、当該ユーザーの着座中のトレーニング及び学習を最適化するための促進ツールを提供することを意図している。スマートフォン上のアプリケーションは、着座者の個人の運動類型を検出し表示することができる。アプリケーションは、測定値を、ユーザーが揺動クッションによって提供される自由度を感覚運動及び筋肉の観点からどの程度まで緩衝させることが可能か又はどの程度まで安定させることが可能かのそれぞれに関する類別された記述と連関させる。これは、現在の個人の着座アジリティための指標となり、而して、快適性とトレーニング進捗度の積を最大限にするためにはどのように揺動クッションを調節するのがよいかに関する情報を提供する。この文脈では、当然ながら、ユーザーの個々のデータの保護及び個人の権利を保証することが重要である。人事部にも会社の医師にもデータへ許可なくアクセスさせないことを保証するのが特に肝要である。このデータが科学的評価における使用を意図されている場合には、それは匿名でしか使用されないようにしてもよい。
【００４２】
[0040]この椅子を購入すると、ユーザーはスマートフォンへアプリケーションをダウンロードする権限を与えられる。次に、このスマートフォンが椅子のクッションの下の「ガレージ」へ挿入される。すると、音声がユーザーを案内してテストを行わせ、ユーザーは個人最大揺動動作の値の制御ボタンをｘ軸及びｙ軸周りに調節してゆく。このテストのためにユーザーは、大凡１０秒乃至２０秒間、背もたれ部に接触すること無く脚を地面に触れずに交差させた状態でできる限り安定してバランスを取らなくてはならない。その様なサイクルは、典型的な個人の各自の平衡パターンを導出するために複数回繰り返されてもよい。スマートフォンからの音声は、現時点ではこれが当座についての、また次のｘヶ月についても、最適調節であり、ｘヶ月後に新しい座りについて音声が再びユーザーに連絡するとの言葉を残して別れを告げる。この時点でスマートフォンをその差し込み口から取り出せる。ユーザーの個人着座習慣のこの評価で判定されるパラメータは次の通りであり、即ち、
――始動点からの偏差並びに振幅及び周波数
――各点での保持時間
――掃引積分、全体及びセクタ別
――補正又は調節角度（誤差「最適補正」）
――補正又は調節のオーバーシューティング
のパラメータが判定される。別の情報セグメントが、次のもの、即ち、体操のための中級刺激、着座位置の変動、人間工学、テーブル高さ及びモニタ位置の変化、リラクゼーション、在宅トレーニング、など、を網羅していてもよい。
【００４３】
[0041]揺動作用座部面を有するその様な事務用、作業用、及びジャー用椅子は、更には、背筋の閾下運動を促すために、図１６に側面図の形態で描かれている極めて特別な背もたれ部を具備している。この事務用、作業用、及びジャー用椅子の別の独自性は、而して、背筋の閾下運動を誘導するためのその背もたれ部２２及びその運動学的要素の構築に見ることができる。この目的のために、その様な運動学的背もたれ部７０では２つの柱状帯７１、７２の形態をしている背もたれ部２２が座部面１９の後ろを、椅子の座部面１９上の着座者の脊柱に沿って垂直方向上向きに延びている。これらの帯の各々は、例えばプラスチック、木材、又は金属薄板で作られている平面状の弾性的に変形可能な帯から成っている。後部柱状帯７２は、境界板の下に取り付けられていて、着座者の臀部及び背部の輪郭についてモデル化されている側方輪郭を備えてそこから最初に後方へ延び次いで上方に延びている。但し、この柱状帯７２の傾きは、座部面の下のその取り付け点にて調節することができる。図１６に描かれている事務用、作業用、及びジャー用椅子は、そのエプロン６３の裏に基板の形態をしている独特な特徴を有しており、中空体の底板及び座部面１９の揺動能力を実現するための全ての要素は当該基板に載っている。そして基板はというと、支柱２２の上に取り付けられている境界板上に、事務用、作業用、及びジャー用椅子に対して前方及び後方に変位できるように支持されている。これは、例えばスライドレール又はローラー軌道を使用することによって成し遂げられる。変位可能性は、プッシュプルケーブルシステム又はばね荷重式ボーデンケーブルによって解放されるようになっていてもよく、関連付けられる作動レバー２６は座部面１９より上方の肘掛け部２４に配列されている。
【００４４】
[0042]この運動学的背もたれ部７０の特別な構築は図１７から集成させることができ、図１７では、或る特定の変形型が更に詳細に描かれている。この斜視図では、背もたれ部はその背面側を上から斜めに見た形態で描かれている。この図は、中央部運動学的要素７０が、破線で指示されている様に下方へ続く前部柱状帯７１と後部柱状帯７２から成っていることを示している。これら２つの柱状帯７１及び柱状帯７２は接続ウェブ７４で互いへ接続されている。この事例では、接続ウェブ７４は、平坦な剛性要素によって形成されていて、重量を節減するために中央穴が設けられている。これらの接続ウェブ７４は、両端を前部柱状帯７１と後部柱状帯７２の内面へ関節運動式に接続されている。２つの柱状帯７１と柱状帯７２の間の相対動作を緩衝及び／又は調節するために、それら柱状帯７１と７２の間に空気クッション８０が設置されていてもよい。この場合、漸進的圧力ばねの役目を果たす空気クッション８０は、２つの筋交い７４の間に設置される。このやり方では、背もたれ部は、それへ作用する荷重が軽減されると、今一度その初期状態へ戻される。空気ホースが空気クッション８０から弁を具備する接続点へ通じていて、空気クッションはポンプによって個別に選択可能な或る圧力まで空気を入れられたら、柱状帯７１、７２を個別に付形するために当該弁を介して空気を排出できるようになっていてもよい。当然ながらこの型式の複数の別々の空気クッションを接続ウェブ７４の間に設置することも実施可能である。前部柱状帯７１の輪郭は、接続ウェブ７４の長さ、それらの配列及びそれらの数、更には個別空気クッション８０の充填圧力、を変えることによって、ユーザーの或る特定の背部輪郭に適合させることができる。代わりに、少なくとも１つの又は複数の鋼圧力ばねが前部柱状帯７１と後部柱状帯７２の間に設置されていてもよい。従って、前方から前部柱状帯７１に掛けられる圧力が後部柱状帯７２からの距離を減少させること、及び前部柱状帯７１は接続ウェブ７４の幾何学的配列のせいで上方へ僅かに動くこと即ち前部柱状帯は椅子上に堅く取り付けられている後部柱状帯７２に対して上方に変位すること、は極めて明白である。運動学的要素７６が、前部柱状帯７１上に設置され、前部柱状帯７１から側方にリブの様に分岐している。これらの要素は、背もたれ部の実際の支持面を形成している。前部柱状帯７１が後部柱状帯７２に対して上下に動くとき、側方に張り出すリブもまたこの上下動作に参加するので、椅子上の着座者の背部のための支持面全体が、軽く上下に動かされ、具体的には人があらためて背もたれ部にもたれかかるたびに軽く上方へ降伏する。この上方動作の範囲は、接触圧力と、前部柱状帯７１と後部柱状帯７２の間の接続ウェブ７４の寸法及び幾何学的配列と、に依存する。また一方、リブも個々に運動学的要素７６の形態に実現されている。各リブは、前部横帯７７及び後部横帯７８によって形成されている。これらの２つの横帯７７と横帯７８は複数の接続ウェブ７９によって接続されている。示されている実施例では、これらの接続ウェブは、それぞれにＳ字を形成していて両端を横帯７７、７８の内面側に関節運動式に取り付けられている弾性的に屈曲可能な接続ウェブ７９から成っている。これは、現時点では、これらの接続ウェブ７９が各自の両端に側方に突出するボルト８１を有し、それらボルト８１を関連付けられるボルト受け口８２へパチンと嵌めることができる、というやり方で実現されている。これらの受け口８２は、２つの略半円形のボルト受け口を形成していて、それらは互いから弾性的に別れて広がることができるようになっているので、接続ウェブ７９のボルト８１をこれらの受け口８２の中へパチンと嵌めたら、それ以降、受け口内で前後に枢動させることができる。このやり方では、接続ウェブ７９は他の接続ウェブと容易に置き換えることができる。脱着と装着が工具無しに素早く実施できる。
【００４５】
[0043]接続ウェブ７４、７９の関節運動式の接続は、ウェブの少なくとも一方の取り付け点又は両方の取り付け点の側で、柱状帯７１、７２に対して又は横帯７７、７８に対して帯の方向に変位可能に実現されていてもよい。例えば、ボルト受け口８２は、横帯７７、７８の内面側で長手方向に変位可能な様式に案内されるようになっていてもよい。この変位がプッシュプルケーブルシステム又はボーデンケーブルによって調節可能になっており、それぞれのワイヤケーブルが１つ又はそれ以上の偏向ローラーを周って横帯７７、７８の端領域へと経路付けられていて、必要に応じて、引張ばねによって引張応力に曝される、というようになっていてもよい。ボーデンケーブルが引かれると、ボルト受け口８２が背もたれ部の中央に向かって引き寄せられる。ボーデンケーブル又はプッシュプルケーブルは、着座位置にて容易にアクセスできるように肘掛け部上に配列されている調節ホイールへ、背もたれ部構築体の内部の偏向ローラー経由で経路付けられており、当該調節ホイールは異なる回転位置へ調節でき、何れかの位置にロックできる。
【００４６】
[0044]前部横帯７７は、重量を節減するために、本事例では穴が設けられていて、それらの前面には軟質の弾性クッション８３が装着されている。圧力が前方から前部横帯７７に掛かると、Ｓ字形状の接続ウェブ７９が軽い弾性変形を被り、接続ウェブの幾何学形状及び配列のせいで前部横帯７７の後部横帯７８に対する僅かな変位が同じく起こり、後部横帯７８がこの目的のために結果としての力の有効方向に依存して僅かばかり更に伸びるか又は追加的に曲げられ、それら前部横帯７７の端が前方又は後方に湾曲する。全体として見ると、前部横帯７７は、背もたれ部にもたれかかる椅子ユーザーの背部の輪郭に適合する。接触圧力によって誘導される前部横帯７７の外方又は内方に方向付けられる相対動作に因り、背筋も同様にこの方向にマッサージされるが、但し完全に閾下式にしか行われない。椅子ユーザーがあらためてこの背もたれ部にもたれかかるたびに、背もたれ部は僅かに上方に変位し、側方に張り出す横帯７７が応分に外方又は内方に僅かに変位する。全体として見ると、低閾値又は閾下ですらあってほとんど知覚され得ないがなおも極めて有効な背筋マッサージが成し遂げられ、残りの身体部分に好ましい影響を与える。
【００４７】
[0045]図１８は、この背もたれ部の特に好都合で構築の単純な実施形態を示している。後部柱状帯７２はより頑丈でより剛性に実現されていて、より脆弱でより可撓性に実現されている前部柱状帯７１へ、関節運動式に設置されている少なくとも３つの筋交い７４によって接続されている。個々に前部横帯７７と後部横帯７８から成る運動学的要素７６が、前部柱状帯７１上に設置されていて前部柱状帯７１から分岐している。複数のＳ字形状の接続ウェブ７９が当該横帯の間に設置されている。この背もたれ部構築は、背もたれ部にもたれかかる椅子ユーザーにとって極めて動的で並外れて快適であることが判明している。椅子ユーザーが背もたれ部にもたれかかると、全要素が、背筋に適合し同時に閾下運動を生じさせるために調和的に協働するものであり、ユーザーの脊柱の真後ろの領域は空いたままになっている。
【００４８】
[0046]以上に説明されている型式の揺動作用座部面を有する椅子は、任意の椅子に付着させることのできる後付けキットによって実現させることもできる。任意の非揺動性座部面上に設置するためのこの後付けキットは、座部パッドの揺動能力を実現するための上述の構成要素全てを備えている。全体としての事務用、作業用、及びジャー用椅子とは対照的に、座部パッドの揺動能力を実現するための構造はユニットの形態に実現されており、中空体１４の底板６１は、周辺の下方に張り出すエプロン様フレームをその底部側に備える基板上に取り付けられており、このフレームの内部は、後付けされることになっている従来式の椅子の座部面の輪郭にぴったり沿った適合を実現させるために、熱の影響下に硬化させることのできる発泡体の塊を充填されるようになっている。従って、このユニットは、事務用、作業用、及びジャー用椅子の座部面の上からはもとより、例えばスツールの様な単純な椅子にも上から重ねて滑らせることができる。他方、後付けキットは、更に、任意の利用できる座部面上に設置し使用することができ、即ち屋外でも使用できる。するとこれ以降は、活動性があってより健康的な座りのための揺動作用座部面が利用可能になる。
【符号の説明】
【００４９】
１  十字形基部
２  空気圧式ばね作用支柱
３  連続リング
４  関節運動自在ローラー
５  境界板
１２  接続ホース
１３  一方向弁
１４  中空体
１５  円錐状上面
１６  ホース環体
１７  仕切り壁
１８  区画
１９  座部面、座部パッド
２０  上部支持層
２１  座部パネル
２２  背もたれ部
２３  肘掛け部支持体
２４  肘掛け部
２５  プッシュプルケーブル又はボーデンケーブル
２６  ハンドルレバー、ハンドレバー
２７  ホース接続部
２８  円錐状上面の先端
２９  排気弁
３０  排気ホース
３１  ピンチ弁
３２  案内リング
３３  ピンチリング
３４  環状案内チャネル
３５  個別クッション
３６  挟み付け面
３７  リードスルー
３８  リードスルーの穴
４６  ハンドルレバー基部
４７  枢動軸
４８  支持面
４９  鋼円筒体
５０  締め付け板
５１  押しボタン
５２  境界板の孔を通って延びるホース
５３  鋼ばね
５４  ヘッド
５５  ハンドルレバー内の取り付け部
５６  ワイヤケーブル
５７  一方向弁
５８  圧力制御弁
５９  横軸
６０  蛇腹様接続部
６１  底板
６３  エプロン
６４  下部支持層
６５  支持板、引張ばね
６６  ワイヤケーブル
６７  発泡体
６８  上部円盤
６９  下部円盤
７０  運動学的背もたれ部、中央部運動学的要素
７１  前部柱状帯
７２  後部柱状帯
７４  接続ウェブ、筋交い
７５  滑動式又はテンプレート型の弁
７６  運動学的要素
７７  前部横帯
７８  後部横帯
７９  接続ウェブ
８０  空気クッション
８１  ボルト
８２  ボルト受け口
８３  弾性クッション
８５  ケーシング管
８６  上部嵌め合い管
８７  下部嵌め合い管
８８  回転ピン
８９  旋回式の弁
Ｃ１−Ｃ４  空気クッション
Ｖ１−Ｖ８  ソレノイド弁、圧電弁、又は位置制御比例弁
【図１】
0006760951.tif 000002
【図２】
0006760951.tif 000003
【図３】
0006760951.tif 000004
【図４】
0006760951.tif 000005
【図５】
0006760951.tif 000006
【図６】
0006760951.tif 000007
【図７】
0006760951.tif 000008
【図８】
0006760951.tif 000009
【図９】
0006760951.tif 000010
【図１０】
0006760951.tif 000011
【図１１】
0006760951.tif 000012
【図１２】
0006760951.tif 000013
【図１３】
0006760951.tif 000014
【図１４】
0006760951.tif 000015
【図１５】
0006760951.tif 000016
【図１６】
0006760951.tif 000017
【図１７】
0006760951.tif 000018
【図１８】
0006760951.tif 000019